(57)【要約】【課題】多くの小物を収容し得、また、収容空間へ窮屈な程に小物を押し込んでも、その取出しに支障をきたさないようにする。【解決手段】上面開口の閉じられた第１の収容空間Ａを形成する内壁１と、内壁１の外周を一周し内壁１との間に上面開口の第２の収容空間Ｂを形成する外壁２と、第１の収容空間Ａの底を形成する第１の底板３と、第２の収容空間Ｂの底を形成する第２の底板４と、内壁１と外壁２との間に設けられ第２の収容空間Ｂを複数の小空間に区分けする複数の仕切壁５ａ〜５ｆとを備えている。内壁１、外壁２、第１、第２の各底板３，４、および各仕切壁５ａ〜５ｆは弾性材料により一体に形成されている。内壁１および外壁２は、それぞれの肉厚が下端側に厚く上端側に薄くなるように形成されている。【選択図】図１
2010064333.tif 000002
【特許請求の範囲】
【請求項１】
上面開口の閉じられた第１の収容空間を形成する内壁と、内壁の外周を一周し内壁との間に上面開口の第２の収容空間を形成する外壁と、第１の収容空間の底を形成する第１の底板と、第２の収容空間の底を形成する第２の底板と、内壁と外壁との間に設けられ第２の収容空間を複数の小空間に区分けする複数の仕切壁とを備え、内壁、外壁、第１、第２の各底板、および各仕切壁は弾性材料により一体に形成されており、内壁および外壁は、それぞれの肉厚が下端側に厚く上端側に薄くなるように形成されて成る小物入れ。
【請求項２】
仕切壁は、互いに直交する方向に設けられた仕切壁を含んでいる請求項１に記載された小物入れ。
【請求項３】
内壁の対向部間に第１の収容空間を複数の小空間に区分けする仕切壁が設けられている請求項１に記載された小物入れ。
【請求項４】
仕切壁が内壁および外壁の高さより低く形成されている請求項１〜３のいずれかに記載された小物入れ。
【請求項５】
第２の底板は外壁の下端縁と内壁の下端縁との間に設けられ、第１の底板は内壁の下端縁より高い位置に設けられている請求項１に記載された小物入れ。
【請求項６】
内壁および外壁の各上端縁は 同方向へ斜めに傾斜している請求項１に記載された小物入れ。
【発明の詳細な説明】
【技術分野】
【０００１】
この発明は、筆記具などの文具小物、スプーンなどのキッチン小物、アクセサリや化粧品などの化粧小物などの各種の小物を区分けして収容する小物入れに関する。
【背景技術】
【０００２】
従来より多数本の筆記具を区分けして収容することが可能な種々のペン立てが提案され、特に簡易なものとして、合成樹脂を射出成形して製作したものが広く用いられている（例えば特許文献１参照）。
【０００３】
【特許文献１】特開平８−８０５４４号公報
【０００４】
この種のペン立てとして、図６に示すように、上面が開口した有底の筒容器１００の内部へ仕切り１０１を嵌挿した構造のものがある。仕切り１０１は筒容器１００の対角幅とほぼ一致する幅の板材１０２とその半分の幅の板材１０３とを直交させて一体接合したものである。この仕切り１０１を筒容器１００の内部へ嵌挿すると、筒容器１００の内部の収容空間は仕切り１０１によってやや広い小空間ａとやや狭い小空間ｂ，ｃとに区分けされる。
【発明の開示】
【発明が解決しようとする課題】
【０００５】
上記した構成のペン立ては、筒容器１００や仕切り１０１が硬質のプラスチック製であるため、収容能力が固定され、仕切り１０１により収容空間が複数の小空間ａ〜ｃに区分けされると、筆記具１１０の収容可能本数にかなりの制限を受ける。各小空間ａ〜ｃへ１本でも多くの筆記具１１０を入れようとすると、筒容器１００が破損したり、筆記具１１０が傷付けられたりするおそれがある。また、各小空間ａ〜ｃへ多数本の筆記具１１０を窮屈な程に差し込むと、それを取り出すのに支障をきたすという不都合もある。
【０００６】
この発明は、上記の問題に着目してなされたもので、多くの小物を収容し得、また、収容空間へ窮屈な程に小物を押し込んでも、その取出しに支障をきたすおそれのない小物入れを提供することを目的とする。
【課題を解決するための手段】
【０００７】
この発明による小物入れは、上面開口の閉じられた第１の収容空間を形成する内壁と、内壁の外周を一周し内壁との間に上面開口の第２の収容空間を形成する外壁と、第１の収容空間の底を形成する第１の底板と、第２の収容空間の底を形成する第２の底板と、内壁と外壁との間に設けられ第２の収容空間を複数の小空間に区分けする複数の仕切壁とを備えたものである。内壁、外壁、第１、第２の各底板、および各仕切壁は弾性材料により一体に形成されている。内壁および外壁は、それぞれの肉厚が下端側に厚く上端側に薄くなるように形成されている。
【０００８】
この発明による小物入れは、筆記具、定規、消しゴムなどの文具小物、箸、スプーンなどのキッチン小物、アクセサリ、化粧品などの化粧小物などを収容する小物入れとして使用できるほか、時計、眼鏡、携帯電話などの身の回り品、ガムやチョコレートなどの菓子類などを収容する入れ物としても使用できる。
【０００９】
上記した構成の小物入れは、内壁、外壁、第１、第２の各底板、および各仕切壁が弾性材料により一体に形成されているので、壁全体が撓んだり変形したりすることが可能である。そのうえ、内壁および外壁の肉厚は上端側が薄くて撓み易いので、第１、第２の各収容空間、さらには、第２の収容空間内の各小空間は上面の開口を押し広げることが可能である。その結果、収容したい小物が収容空間から多少はみ出すような形状や大きさであっても、壁面が変形して拡張し、その収容が可能となる。また、１個でも多くの小物を収容空間へ入れることが可能となり、小物の収容能力が増す。収容空間へ小物を押し込む際も、壁面が撓んだり変形したりするので、内壁、外壁、仕切壁が破損したり、小物が傷付けられたりすることもない。さらに、収容空間に多数個の小物を窮屈な程に押し込んだ場合、その取出しに際して、第１、第２の各収容空間、さらには、第２の収容空間内の各小空間は上面の開口を押し広げることができるので、取出しに支障をきたすこともない。
一方において、内壁および外壁の肉厚は下端側が厚く、そのうえ、内壁と外壁との間に設けられた仕切壁が補強リブとして機能するので、優れた強度と保形性が得られ、全体が型くずれすることもない。
【００１０】
この発明の上記した構成において、仕切壁は、好ましくは、互いに直交する各方向に設けられた仕切壁を含むものである。この実施態様によると、仕切壁の補強リブとしての機能が直交する２方向に作用するので、良好な保形性が得られる。
【００１１】
好ましい実施態様においては、内壁の対向部間に第１の収容空間を複数の小空間に区分けする仕切壁が設けられている。この実施態様によれば、小物を一層区分けして収容できるうえに、仕切壁が内壁の補強リブとして機能するので、内壁の保形性を向上できる。
【００１２】
さらに好ましい実施態様においては、仕切壁が内壁および外壁の高さより低く形成されている。この実施態様によると、内壁および外壁の上端縁の部分は仕切壁によって拘束されていないから、第１、第２の収容空間の上面の開口を自在に押し広げることができ、各収容空間に対する小物の出し入れが一層容易となる。
【００１３】
第１、第２の各底板は、同じ高さ位置に設けることもできるが、第２の底板は外壁の下端縁と内壁の下端縁との間に設け、第１の底板は内壁の下端縁より高い位置に設けることもできる。
この実施態様によると、第１の収容空間は底が浅く、第２の収容空間は底が深いので、収容する小物をその大きさに応じて区分けでき、小物の出し入れが容易となる。また、底面側から見ると、第２の底板に相当する部分に対して第１の底板に相当する部分は凹んでいるので、上下反転させて凹みの部分を小物の収容空間として用いることも可能である。
【００１４】
内壁および外壁の各上端縁は 、高さが揃っていても揃っていなくてもよい。例えば、内壁および外壁の各上端縁を同方向へ斜めに傾斜させると、その傾斜位置に応じて第１、第２の各収容空間の深さが変わるので、小物の出し入れが容易となる。
【発明の効果】
【００１５】
この発明によると、壁面が撓んだり変形したりするうえに、各収容空間は上面の開口を押し広げることができるので、小物の収容能力が増し、小物の出し入れが容易である。また、収容空間へ小物を押し込む際、内壁、外壁、仕切壁が破損したり、小物が傷付けられたりすることもない。さらに、内壁および外壁の肉厚は下端の側が厚いうえに、内壁と外壁との間に設けられた仕切壁が補強リブとして機能するので、優れた強度と保形性が得られ、全体が型くずれすることもない。
【発明を実施するための最良の形態】
【００１６】
図１および図２は、この発明の一実施例である小物入れの外観を示している。図示例では、この小物入れを文具小物を収容するためのペン立てとして用いているが、文具小物以外の小物を収容するのに用いることもできる。
【００１７】
図示例の小物入れは、平面形状がハート型の閉じられた第１の収容空間Ａを形成する内壁１と、平面形状がハート型であり内壁１の外周を一周する外壁２とを有している。内壁１と外壁２との間には周回する第２の収容空間Ｂが形成されている。内壁１の下端縁と外壁２の各下端縁とは、図３に示すように、同一平面で揃い、一方、内壁１および外壁２の各上端縁は 同方向へ斜めに傾斜している。第１、第２の各収容空間Ａ，Ｂの底は、設置高さが異なる第１、第２の底板３，４により形成されている。第２の底板４は外壁２の下端縁と内壁１の下端縁との間に一体に設けられている。第１の底板３は内壁１の下端縁より高い位置に一体に設けられている。
【００１８】
内壁１と外壁２との間には５個の仕切壁５ａ〜５ｆが一体に設けられている。各仕切壁５ａ〜５ｆは下端縁が第２の底板４に一体に連設され、上端縁は内壁１および外壁２の各上端縁より下方に位置し、内壁１および外壁２の高さより低くなっている。各仕切壁５ａ〜５ｆによって第２の収容空間Ｂが６個の小空間ｂ１〜ｂ６に区分けされている。各仕切壁５ａ〜５ｆは小物入れの中心に対して放射状となっている。仕切壁５ａ，５ｂと仕切壁５ｃ，５ｄとは互いにほぼ直交している。内壁１および外壁２は上端縁が同方向へ傾斜しているので、小空間ｂ１〜ｂ６の各深さは、小空間ｂ１，ｂ２が深く、小空間ｂ５，ｂ６が浅く、小空間ｂ３，ｂ４が中くらいである。
【００１９】
内壁１の対向部間には第１の収容空間Ａを２個の小空間ａ１，ａ２に区分けする仕切壁６が設けられている。仕切壁６は、下端縁が第１の底板３に一体に連設され、上端縁は内壁１の上端縁より下方に位置し、内壁１の高さより低くなっている。この仕切壁６は前記仕切壁５ａ，５ｂとほぼ直交している。内壁１は上端縁が傾斜しているので、小空間ａ１，ａ２の深さは、小空間ａ１が深く、小空間ａ２が浅い。
【００２０】
第１の収容空間Ａは、第２の収容空間Ｂと較べて底の位置が高く、浅くて広いので、消しゴムやクリップなどを収容するのに好適である。第２の収容空間Ｂは幅が狭く、各小空間ｂ１〜ｂ６は深さが異なるので、長さの異なる筆記具１０を立てた状態で区分けして収容するのに好適である。
また、図示例の小物入れは、図５に示すように、上下反転して用いることが可能である。この場合、第２の底板４に相当する部分に対して第１の底板３に相当する部分は凹んでいるので、この凹みの部分を小物の収容空間７として用いることができる。例えば、この収容空間７に携帯電話１１を収容した場合、携帯電話１１が着信等によって振動しても、その振動や振動音は弾性材料より成る壁面で吸収されるので、周囲に振動や振動音が伝わるのを防止できる。
【００２１】
内壁１、外壁２、第１、第２の各底板３，４、および各仕切壁５ａ〜５ｆ，６は天然ゴムまたは合成ゴムのような弾性材料により一体に形成されている。
内壁１および外壁２は、図４に示すように、それぞれの肉厚が下端側に厚く上端側に薄くなっている。同図中、ｄ１は内壁１の下端縁の肉厚、ｄ２は内壁１の上端縁の肉厚を示しており、ｄ２＜ｄ１である。また、ｔ１は外壁２の下端縁の肉厚、ｔ２は外壁２の上端縁の肉厚を示しており、ｔ２＜ｔ１である
【００２２】
上記した構成の小物入れは、内壁１、外壁２、第１、第２の各底板３，４、および各仕切壁５ａ〜５ｆ，６が弾性材料により一体に形成されているので、壁全体が柔軟であり、撓んだり変形したりすることが可能である。そのうえ、内壁１および外壁２の肉厚は上端側が薄いので、第１、第２の各収容空間Ａ，Ｂ、さらには、収容空間Ａ，Ｂ内の各小空間ａ１，ａ２．ｂ１〜ｂ６は、図４において一点鎖線で示すように、上面の開口を押し広げることが可能である。その結果、収容したい文具小物が収容空間Ａ，Ｂから多少はみ出すような形状や大きさであっても、壁面が変形して拡張し、文具小物を収容することが可能となる。
【００２３】
また、１個でも多くの文具小物を収容空間Ａ，Ｂへ入れることが可能となり、文具小物の収容能力が増す。収容空間Ａ，Ｂへ文具小物を押し込む際も、壁面が撓んだり変形したりするので、内壁１、外壁２、各仕切壁５ａ〜５ｆ，６が破損したり、文具小物が傷付けられたりすることがない。さらに、収容空間Ａ，Ｂに多数個の文具小物を窮屈な程に押し込んだ場合、その取出しに際して、第１、第２の各収容空間Ａ，Ｂ、さらには、各収容空間Ａ，Ｂ内の各小空間ａ１，ａ２，ｂ１〜ｂ６は上面の開口を押し広げることができるので、取出しに支障をきたすこともない。
【００２４】
一方において、内壁１および外壁２の肉厚は下端の側が厚く、そのうえ、内壁１と外壁２との間に設けられた仕切壁５ａ〜５ｆおよび内壁１の仕切壁６が補強リブとして機能するので、優れた強度と保形性が得られ、全体が型くずれすることもない。
【図面の簡単な説明】
【００２５】
【図１】この発明の一実施例である小物入れの外観を示す斜視図である。
【図２】図１の実施例の平面図である。
【図３】図２のＣ−Ｃ線に沿う断面図である。
【図４】図１の実施例の拡大断面図である。
【図５】図１の実施例の他の使用例を示す斜視図である。
【図６】従来のペン立ての一例を示す斜視図である。
【符号の説明】
【００２６】
１    内壁
２    外壁
３    第１の底板
４    第２の底板
５ａ〜５ｆ  仕切壁
６    仕切壁
Ａ    第１の収容空間
Ｂ    第２の収容空間
ａ１，ａ２  小空間
ｂ１〜ｂ６  小空間
【図１】
2010064333.tif 000003
【図２】
2010064333.tif 000004
【図３】
2010064333.tif 000005
【図４】
2010064333.tif 000006
【図５】
2010064333.tif 000007
【図６】
2010064333.tif 000008